(57)【要約】【課題】従来、受水槽や配管の錆発生等による赤水対策としては、配管中に赤水対策装置や水質還元装置を設置して浄化する方法が取られてきているが、断水等によって赤水が発生し、それが受水槽に入り込んだことが判明した場合等には受水槽の全面清掃が必要となり、多大な時間と労力を要していた。【解決手段】受水槽等の給水経路に至る前の配管部に、赤水に関する確認設備５１を備えた排出弁Ｖを装置し、断水後、再通水前に赤水発生の有無を確認し、排出弁を通じて受水槽等の給水経路Ｆに至る前の１次側通水路の赤水を排出し、その排出完了を確認した後に給水経路Ｆへの再通水を行えるように構成した。【選択図】図１
2004124569.tif 000002
【特許請求の範囲】
【請求項１】
１次側から２次側への通水と、１次側から排水路への通水を切り替える切替弁の排出路接続口に、赤水排出完了を確認する確認設備と排水ホースに接合する継手構造を備えた排水管を接合して構成したことを特徴とする赤水排出弁
【請求項２】
切替弁の切替え機構を１次側流入口の閉止も選択できるように構成し、止水栓としても使用できるできるように構成した請求項１記載の赤水排出弁
【発明の詳細な説明】
【０００１】
【産業上の利用分野】
本発明は、配管工事等によって給水を中断したことによって発生する赤水を再通水する前に排出し、通水によって受水槽等に赤水が入り込むことを防止するための赤水排出弁に関するものである。
【０００２】
【従来の技術】
従来、受水槽や配管の錆発生等による赤水対策としては、例えば特許文献１に示されるように配管中に赤水対策装置や水質還元装置を設置して浄化する方法が取られてきているが、工事断水等により配管に入り込んだ異物による赤水に対しては、特別の対策が講じられることなく再通水され、通水によって蛇口等から赤水が排出され、浄化されるものとされてきた。
【０００３】
しかしながら、断水によって赤水が発生し、それが受水槽に入り込んだことが判明した場合には受水槽の全面清掃が必要となり、多大な時間と労力を要していた。
【０００４】
【特許文献１】特開平１０−１０９０８２号公報
【０００５】
【発明が解決しようとする課題】
しかしながら、集合住宅等、高置受水槽が設置されている場所において、赤水が受水槽内に入り込んだ場合には、通水によっての浄化は期待できず多くの人が衛生上の危険に晒される結果とならざるを得ない。これを避けるためには断水後は必ず受水槽の全面清掃を行なわなければならないという問題がある。
【０００６】
【課題を解決するための手段】
本発明は、受水槽等の給水経路に至る前の配管部に、赤水に関する確認設備を備えた排出弁を装置し、断水後、再通水前に赤水発生の有無を確認し、排出弁を通じて受水槽等の給水経路に至る前の１次側通水路の赤水を排出し、その排出完了を確認した後に受水槽等の給水経路への再通水を行えるようにした。
【０００７】
すなわち、１次側から２次側への通水と、１次側から排水路への通水を切り替える切替弁の排出路接続口に、赤水排出完了を確認する確認設備と排水ホースに接合する継手構造を備えた排水管を接合して構成した赤水排出弁を提供し、これを配管部に装着して断水後、再通水前に赤水発生の有無を確認し、排出弁を通じて受水槽等の給水経路に至る１次側通水路の赤水を排出できるように構成したものである。
【０００８】
【実施例】
以下、本発明の実施例を図面を参照して説明する。１は赤水排出弁Ｖの弁箱で、ボールバルブ２の収容部１３を挟んで両側に１次側配管と接合する流入口１１と、受水槽等の給水経路に至る２次側配管と接合する吐出口１２が構成され、上部にボールバルブ２を回動操作するキーハンドル３が装着されている。
【０００９】
ボールバルブ収容部１３の側部は排出口１４となっており、継手構造部１６によって着脱可能に排出口１４と接合する立上管１５によって排水を上方に導くようになっている。立上管１５の上端は継手管４に接合する継手構造４１を備え、下端は排出口１４と着脱可能に着合する継手構造部１６となっている。
【００１０】
継手管４は下端部が継手構造４１により立上管１５の上端と着合し、上端部が継手構造４２によって排水管５に接合する。更に、排水管５は上端部で排水ホース６に接合し、その上端部付近に赤水排出完了等の確認設備５１が装置されている。なお、この確認設備５１は図示のようなドレーンバルブ５２によって排水を採取して確認するようにしてもよいが、排水管５の部分に透明部を設けて外部から排水の色等の状况を確認できるようにしてもよい。
【００１１】
ボールバルブ２は、１次側から２次側に通水する通水口２１、２２と、これと直交して排出口１４に通水する通水口２３が穿設されており、収容部１３に敷設されたバルブシート２４によって包摂支持されると共に、上端部がキーハンドル機構３の下端嵌合部３１と嵌合してキーハンドルの回動によって回動するように構成され、下端部は弁箱１の底部に設定された突起軸３２と嵌合軸支されている。
【００１２】
ボールバルブ２が図８に示すように１次側から２次側に通水する状態からキーハンドル３によって反時計方向に９０度回動されると、通水口２１が排出口１４に接合する一方、通水口２２が側壁に突合して閉止されて図９に示すように水流は１次側から排出口１４に通水して立上管１５、継手管４、排水管５、排水ホース６を通じて排出されることになる。
【００１３】
また、キーハンドル３を図８に示す１次側から２次側に通水する状態から時計方向に９０度回動すれば、図１０に示すように通水路２３の開口部の背面が流入口１１に通じる１次側の通水口を閉塞して水流の流入を阻止するので、弁内で水流を止水することができ、止水栓としても活用できる。
【００１４】
以上のように構成した赤水排出弁は、受水槽近くの立上り管に設置すれば前記実施例による立上管１５の介装は必要なくなるが、受水槽の周囲は悪戯等を避けるため柵等で囲み人の出入りを制限する必要があり作業し難い問題があるので、図１に示すように受水槽に至る配管経路Ｆの前であれば、水道メーターの周辺に設置しても十分にその機能を発揮することができる。
【００１５】
図１に示す実施例によれば、給水区内の工事等による断水によって発生した赤水は、１次側配水管Ａから水道メータＢを通って赤水排出弁に至るので、この段階において通水口２１を排出口１４に接合して排出する。
【００１６】
確認設備５１により赤水の排出完了が確認された段階で、キーハンドル３を時計方向に９０度回動して１次側から２次側に通水する状態に復帰させれば、受水槽等への赤水の流入を簡単に阻止することができものである。
【００１７】
なお、実施例のように排出弁を地中に設置する場合には、ケーシングＣを設置して常時は継手管４から排水管５を取外して蓋Ｄを閉め、第三者が排出弁Ｖに触れたりすることのないようにしておく。なお、継手構造４２はより排水管５を取外すとキャップによって覆蓋できるようになっている。Ｅは受水槽に通じる立上り管の周囲を囲む塀、５３はホースバンドである。
【００１８】
本発明は以上のように構成したので、断水等によって発生した赤水の受水槽等への流入を簡単に阻止することができると共に、必要に応じ確認設備５１により定期的に給水の水質検査を行なうことにも利用でき、更には、止水栓としても活用できるものである。
【００１９】
【図面の簡単な説明】
【図１】本発明の実施例を示すもので、給水系統に本発明による赤水排出弁を設置した状况を示す配管の全体側面図
【図２】同じく、本発明による赤水排出弁の正面図
【図３】同じく、一部を切欠断面として要部の構造を示した赤水排出弁の側面図
【図４】同じく、本発明による赤水排出弁の平面図
【図５】同じく、赤水排出弁の排水管の拡大側面図
【図６】同じく、赤水排出弁確認設備の実施例として一部を切欠断面として要部の構造を示したドレーン式確認設備の拡大側面図
【図７】同じく、１次側から２次側に通水する状態を、上部を縦断面、下部を一部切欠断面として切替弁の構造を示す赤水排出弁弁箱部の側面図
【図８】同じく、１次側から２次側に通水する切替え状態を示す赤水排出弁弁箱部の横断平面図
【図９】同じく、１次側から排出側に通水する切替え状態を示す赤水排出弁弁箱部の横断平面図
【図１０】同じく、１次側からの流入口を閉止して止水状態への切替え状態を示す赤水排出弁弁箱部の横断平面図
【符号の説明】
１　　弁箱
１１　　給水流入口
１２　　給水吐出口
１３　　ボールバルブの収容部
１４　　廃水排出口
１５　　立上管
１６　　排出口と立上管の継手構造部
２　　ボールバルブ
２１　　１次側通水口
２２　　２次側通水口
２３　　廃水排出口側通水口
２４　　バルブシート
３　　キーハンドル
３１　　ハンドル機構下端の嵌合部
３２　　ボールバルブ支持突起軸
４　　継手管
４１　　立上管と継手管の継手構造
４２　　排水管との継手構造
５　　廃水排水管
５１　　排出等確認設備
５２　　ドレーンバルブ
５３　　ホースバンド
６　　　　排水ホース
Ａ　　１次側配水管
Ｂ　　水道メータ
Ｃ　　赤水排出弁収容ケーシング
Ｄ　　排出弁収容ケーシングの蓋
Ｅ　　受水槽に通じる立上り管の周囲を囲む塀
Ｆ　　受水槽等への給水配管
Ｖ　　赤水排出弁
【図１】
2004124569.tif 000003
【図２】
2004124569.tif 000004
【図３】
2004124569.tif 000005
【図４】
2004124569.tif 000006
【図５】
2004124569.tif 000007
【図６】
2004124569.tif 000008
【図７】
2004124569.tif 000009
【図８】
2004124569.tif 000010
【図９】
2004124569.tif 000011
【図１０】
2004124569.tif 000012